(57)【要約】【課題】放熱効果をより向上させ得る光ピックアップ装置を提供する。【解決手段】光ピックアップ装置は、半導体レーザ１０１と、半導体レーザ１０１を保持する熱伝導性を有するレーザ保持部材４０１と、半導体レーザ２０１と、半導体レーザ２０１を保持する熱伝導性を有する第２のレーザ保持部材４０２と、半導体レーザ１０１、２０１と、レーザ保持部材４０１、４０２とを収容するハウジング１０と、ハウジング１０を覆うとともにレーザ保持部材４０１、４０２に熱的に接続される熱伝導性を有するカバー２０と、を有する。レーザ保持部材４０１、４０２と案内シャフト１１３ａ両端との間に放熱樹脂５０１、５０２が配される。これにより、レーザ保持部材４０１、４０２の間に、カバー２０とは別の熱の伝導経路が構成される。【選択図】図３
2013030239.tif 000002
【特許請求の範囲】
【請求項１】
第１のレーザ光源と、
前記第１のレーザ光源を保持する熱伝導性を有する第１のレーザ保持部材と、
第２のレーザ光源と、
前記第２のレーザ光源を保持する熱伝導性を有する第２のレーザ保持部材と、
前記第１のレーザ光源と、前記第１のレーザ保持部材と、前記第２のレーザ光源と、前記第２のレーザ保持部材とを収容するハウジングと、
前記ハウジングを覆うとともに前記第１のレーザ保持部材および前記第２のレーザ保持部材に熱的に接続される熱伝導性を有するカバーと、
前記第１のレーザ保持部材と前記第２のレーザ保持部材との間に、前記カバーとは別の熱の伝導経路を構成する熱伝導部と、を有する、
ことを特徴とする光ピックアップ装置。
【請求項２】
請求項１に記載の光ピックアップ装置において、
前記第１のレーザ光源から出射されたレーザ光が入射するレンズと、
前記レンズを保持するレンズ保持部材と、
前記レンズ保持部材を前記レンズの光軸方向に案内する案内シャフトと、
前記レンズ保持部材を前記光軸方向に移動させる駆動部と、を備え、
前記案内シャフトは、熱伝導性を有し、
前記案内シャフトが前記第１のレーザ保持部材から前記第２のレーザ保持部材側に延びるように、前記第１のレーザ光源と前記第２のレーザ光源と前記レンズが配置され、
前記伝導部は、前記案内シャフトを含む、
ことを特徴とする光ピックアップ装置。
【請求項３】
請求項２に記載の光ピックアップ装置において、
前記案内シャフトの一方の端部と前記第１のレーザ保持部材とが放熱樹脂によって連結され、前記案内シャフトの他方の端部と前記第２のレーザ保持部材とが放熱樹脂によって連結されている、
ことを特徴とする光ピックアップ装置。
【請求項４】
請求項２または３に記載の光ピックアップ装置において、
前記レンズは、コリメータレンズである、
ことを特徴とする光ピックアップ装置。
【請求項５】
請求項１ないし４の何れか一項に記載の光ピックアップ装置において、
前記第１のレーザ保持部材と前記カバーとの間に放熱樹脂が配置され、前記第２のレーザ保持部材と前記カバーとの間に放熱樹脂が配置されている、
ことを特徴とする光ピックアップ装置。
【請求項６】
請求項１ないし５の何れか一項に記載の光ピックアップ装置において、
前記第２のレーザ光源は、異なる２つのレーザ素子が一つのＣＡＮ内に配置された半導体レーザである、
ことを特徴とする光ピックアップ装置。
【発明の詳細な説明】
【技術分野】
【０００１】
本発明は、光ピックアップ装置に関するものであり、特に、異なる種類のディスクに対応可能な光ピックアップ装置に用いて好適なものである。
【背景技術】
【０００２】
近年、光ピックアップ装置には、記録密度を向上させるため、波長４０５ｎｍ程度の青紫色レーザ光源が実用化されている。青紫色レーザ光源の動作電圧は、ＤＶＤおよびＣＤ用のレーザ光源の動作電圧よりも数段高い。他方、動作電圧に比例して、レーザ光源の発熱量が大きくなる。このため、青紫色レーザ光源の発熱はかなり大きくなる。
【０００３】
レーザ光源の温度上昇が大きくなると、レーザ光の波長が変動し、光ディスクへの記録・再生動作が不安定になる惧れがある。また、レーザ光源周辺の光学部品にも熱による影響が生じ得る。光ピックアップ装置内に青紫色のレーザ光源とともにＤＶＤ用およびＣＤ用のレーザ光源が配されている場合には、光ピックアップ装置内の温度上昇がより顕著となる。このため、これらレーザ光源からの熱を効果的に放熱する手段が必要となる。
【０００４】
以下の特許文献１には、レーザ光源を保持するレーザホルダと放熱板との間に放熱グリスを介在させることで放熱効果を高めることが記載されている。
【先行技術文献】
【特許文献】
【０００５】
【特許文献１】特開２０１１−８６３４５号公報
【発明の概要】
【発明が解決しようとする課題】
【０００６】
しかしながら、ホルダと放熱板との間に放熱グリスを介在させたとしても、放熱面積が増えるわけでもなく、放熱効果としてはいまだ不十分である。
【０００７】
本発明は、このような課題に鑑みて為されたものであり、放熱効果をより向上させ得る光ピックアップ装置を提供することを目的とする。
【課題を解決するための手段】
【０００８】
本発明に係る光ピックアップ装置は、第１のレーザ光源と、前記第１のレーザ光源を保持する熱伝導性を有する第１のレーザ保持部材と、第２のレーザ光源と、前記第２のレーザ光源を保持する熱伝導性を有する第２のレーザ保持部材と、前記第１のレーザ光源と、前記第１のレーザ保持部材と、前記第２のレーザ光源と、前記第２のレーザ保持部材とを収容するハウジングと、前記ハウジングを覆うとともに前記第１のレーザ保持部材および前記第２のレーザ保持部材に熱的に接続される熱伝導性を有するカバーと、前記第１のレーザ保持部材と前記第２のレーザ保持部材との間に、前記カバーとは別の熱の伝導経路を構成する熱伝導部と、を有する。
【発明の効果】
【０００９】
本発明によれば、放熱効果をより向上させ得る光ピックアップ装置を提供することができる。
【００１０】
本発明の効果ないし意義は、以下に示す実施の形態の説明により更に明らかとなろう。ただし、以下の実施の形態は、あくまでも、本発明を実施する際の一つの例示であって、
本発明は、以下の実施の形態によって何ら制限されるものではない。
【図面の簡単な説明】
【００１１】
【図１】実施の形態に係る光ピックアップ装置の光学系を示す図である。
【図２】実施の形態に係るレーザ保持部材と半導体レーザの構成を示す図である。
【図３】実施の形態に係る光ピックアップ装置の光学系の裏面図である。
【図４】実施の形態に係る光ピックアップ装置に放熱樹脂を用いた箇所の図である。
【図５】実施の形態に係る光ピックアップ装置の熱伝導経路を示す図である。
【発明を実施するための形態】
【００１２】
以下、本発明の実施の形態につき図面を参照して説明する。本実施の形態は、ＢＤとＣＤ（compactDisc）およびＤＶＤ（Digital versatile Disc）に対して記録再生を行う光
ピックアップ装置に本発明を適用したものである。
【００１３】
図１は、実施の形態に係る光ピックアップ装置の光学系を示す。図１（ａ）は、光学系の上面図、図１（ｂ）は、対物レンズアクチュエータ周辺部分を側面側から見た一部透視図である。この光学系は、ＢＤ用の光学系とＣＤ/ＤＶＤ用の光学系に区分される。
【００１４】
ＢＤ用の光学系は、半導体レーザ１０１と、１／２波長板１０２と、偏光ビームスプリッタ１０３と、コリメータレンズ１０４と、立ち上げミラー１０５と、１／４波長板１０６と、ＢＤ対物レンズ１０７と、アナモレンズ１０８と、光検出器１０９と、フロントモニタ１１０とから構成されている。また、コリメータレンズ１０４を駆動するための構成として、レンズ保持部材１１１と、シャフト保持部材１１２ａ〜１１２ｄと、案内シャフト１１３ａ、１１３ｂと、モータ１１４と、ギア１１５からなるレンズアクチュエータ１００が配されている。
【００１５】
半導体レーザ１０１は、波長４００ｎｍ程度の青色レーザ光（以下、「ＢＤ光」という）を出力する。１／２波長板１０２は、ＢＤ光の偏光方向を調整する。偏光ビームスプリッタ１０３は、１／２波長板１０２側から入射されたレーザ光の大部分を反射し、一部を透過させる。
【００１６】
偏光ビームスプリッタ１０３を透過したＢＤ光は、フロントモニタ１１０に照射される。フロントモニタ１１０は、受光光量に応じた信号を出力する。フロントモニタ１１０からの信号は、半導体レーザ１０１の出射パワー制御に用いられる。
【００１７】
コリメータレンズ１０４は、偏光ビームスプリッタ１０３によって反射されたレーザ光を平行光に変換する。レンズアクチュエータ１００は、収差補正の際に、制御信号に応じてコリメータレンズ１０４を光軸方向に移動させる。
【００１８】
立ち上げミラー１０５は、コリメータレンズ１０４を介して入射されたレーザ光をＢＤ対物レンズ１０７に向かう方向に反射する。１／４波長板１０６は、反射ミラー１０５によって反射されたレーザ光を円偏光に変換するとともに、ディスクからの反射光を、ディスクへ入射される際の偏光方向に直交する直線偏光に変換する。これにより、ディスクによって反射されたレーザ光は偏光ビームスプリッタ１０３を透過して光検出器１０９へと導かれる。
【００１９】
ＢＤ対物レンズ１０７は、ＢＤ光を、ＢＤの信号面上に適正に収束できるよう設計されている。すなわち、ＢＤ対物レンズ１０７は、０．１ｍｍ厚の基板を介して信号面上にＢＤ光を適正に収束できるよう設計されている。なお、ＢＤ対物レンズ１０７は、樹脂材料によって形成されている。
【００２０】
アナモレンズ１０８は、ディスクによって反射されたレーザ光に非点収差を導入して光検出器１０９へと導く。光検出器１０９は、受光したレーザ光の強度分布から再生ＲＦ信号、フォーカスエラー信号、およびトラッキングエラー信号を生成するためのセンサーパターンを有している。
【００２１】
レンズ保持部材１１１は、樹脂材料からなっており、ボディ部１１１ａと、ボディ部１１１ａからＹ軸正方向に延びる板状の腕部１１１ｂと、ボディ部１１１ａからＹ軸負方向に延びる棒状の腕部１１１ｃとを有している。腕部１１１ｂの端部にコリメータレンズ１０４が装着されている。ボディ部１１１ａにはＸ軸方向に受け孔１１１ｄが形成され、この受け孔１１１ｄに案内シャフト１１３ａが挿入されている。受け孔１１１ｄの径は案内シャフト１１３ａの径より僅かに大きい。また、腕部１１１ｃの端部には、Ｘ軸方向に受け孔１１１ｅが形成されており、この受け孔１１１ｅに案内シャフト１１３ｂが挿入されている。２つの案内シャフト１１３ａ、１１３ｂは、それぞれ、Ｘ軸に平行となるように、シャフト保持部材１１２ａ、１１２ｂとシャフト保持部材１１２ｃ、１１２ｄに支持されている。これにより、レンズ保持部材１１１がコリメータレンズ１０４とともにＸ軸方向に移動可能となる。
【００２２】
また、腕部１１１ｃの下面のギア１１５に対向する位置に、ギア１１５と噛み合うギア１１１ｆが設置されている。ギア１１５は、モータ１１４の駆動軸に連結されている。受け孔１１１ｄ、１１１ｅに案内シャフト１１３ａ、１１３ｂを通した後、案内シャフト１１３ａをシャフト保持部材１１２ａ、１１２ｂに装着し、案内シャフト１１３ｂをシャフト保持部材１１２ｃ、１１２ｄに装着すると、腕部１１１ｃの下面に設置されたギア１１１ｆがギア１１５に噛み合う。これにより、モータ１１４の駆動力がギア１１５からギア１１１ｆに伝達され、レンズ保持部材１１１がコリメータレンズ１０４とともにＸ軸方向に移動する。
【００２３】
なお、後述のように、案内シャフト１１３ａは、半導体レーザ１０１または半導体レーザ２０１で発生した熱の伝導経路として利用される。このため、案内シャフト１１３ａは、熱伝導率が高く、且つ、熱による膨張、伸縮が起こりにくい材料からなっている。本実施の形態では、案内シャフト１１３ａは、ステンレスからなっている。案内シャフト１１３ｂは、熱の伝導経路に利用されないため、熱伝導性が高い必要はない。
【００２４】
モータ１１４は、ＢＤ光の収差補正のために制御される。具体的には、光検出器１０９から出力される信号が最も良好となる位置にコリメータレンズ１０４が位置付けられるよう、モータ１１４が制御される。
【００２５】
ＤＶＤ・ＣＤ光学系は、半導体レーザ２０１と、回折格子２０２と、偏光ビームスプリッタ２０３と、コリメータレンズ２０４と、立ち上げミラー２０５と、１／４波長板２０６と、ＤＶＤ・ＣＤ対物レンズ２０７と、アナモレンズ２０８と、光検出器２０９と、フロントモニタ２１０から構成されている。
【００２６】
半導体レーザ２０１は、一つのＣＡＮ内に、波長７８０ｎｍ程度の赤外レーザ光（以下、「ＣＤ光」という）と波長６５０ｎｍ程度の赤色レーザ光（以下、「ＤＶＤ光」という）を出力するレーザ素子を備える。ＣＤ光とＤＶＤ光は、互いに、偏光方向が平行となるように、半導体レーザ２０１から同じ方向に出射される。回折格子２０２は、ＣＤ光およびＤＶＤ光をメインビームと２つのサブビームに分割する。
【００２７】
偏光ビームスプリッタ２０３は、１／２波長板２０２側から入射されたレーザ光の大部分を反射し、一部を透過させる。半導体レーザ２０２は、ＣＤ光とＤＶＤ光の偏光方向が
偏光ビームスプリッタ２０３に対してＳ偏光となる方向から僅かにずれるように設置されている。偏光ビームスプリッタ２０３を透過したレーザ光は、フロントモニタ２１０に照射される。フロントモニタ２１０は、受光光量に応じた信号を出力する。フロントモニタ２１０からの信号は、半導体レーザ２０１の出射パワー制御に用いられる。
【００２８】
コリメータレンズ２０４は、偏光ビームスプリッタ２０３によって反射されたレーザ光を平行光に変換する。立ち上げミラー２０５は、偏光ビームスプリッタ２０３を介して入射されたレーザ光をＤＶＤ・ＣＤ対物レンズ２０７に向かう方向に反射する。１／４波長板２０６は、反射ミラー２０５によって反射されたレーザ光を円偏光に変換するとともに、ディスクからの反射光を、ディスクへ入射される際の偏光方向に直交する直線偏光に変換する。これにより、ディスクによって反射されたレーザ光は偏光ビームスプリッタ２０３を透過して光検出器２０９へと導かれる。
【００２９】
ＤＶＤ・ＣＤ対物レンズ２０７は、ＣＤ光とＤＶＤ光をそれぞれ、ＣＤとＤＶＤの信号面上に適正に収束できるように設計されている。すなわち、ＤＶＤ・ＣＤ対物レンズ２０７は、１．２ｍｍ厚の基板を介して信号面上にＣＤ光を適正に収束でき、且つ、０．６ｍｍ厚の基板を介して信号面上にＤＶＤ光を適正に収束できるよう設計されている。なお、ＤＶＤ・ＣＤ対物レンズ２０７も、ＢＤ対物レンズ１０７と同様、樹脂材料により形成されている。
【００３０】
アナモレンズ２０８は、ディスクによって反射されたレーザ光に非点収差を導入して光検出器２０９に導く。光検出器２０９は、受光したレーザ光の強度分布から再生ＲＦ信号、フォーカスエラー信号、およびトラッキングエラー信号を生成するためのセンサーパターンを有している。
【００３１】
ＢＤ対物レンズ１０７とＤＶＤ・ＣＤ対物レンズ２０７は、共通のホルダ３０１に装着されている。また、１／４波長板１０６、２０６もホルダ３０１に装着されている。ホルダ３０１は、対物レンズアクチュエータによって、フォーカス方向およびトラッキング方向に駆動される。したがって、ＢＤ対物レンズ１０７およびＤＶＤ・ＣＤ対物レンズ２０７と１／４波長板１０６、２０６は、ホルダ３０１の駆動に伴って一体的に駆動される。対物レンズアクチュエータは、コイルと磁気回路からなり、このうち、コイル３０２がホルダ３０１に装着されている。図１（ｂ）において、磁気回路は、図示省略されている。
【００３２】
なお、図１（ａ）では図示省略されているが、半導体レーザ１０１、２０１は、それぞれ、レーザ保持部材に収容された状態で、光ピックアップ装置に設置される。
【００３３】
図２は、実施の形態に係るレーザ保持部材と半導体レーザの構成を示す図である。図２（ａ）は、ＢＤ用の半導体レーザ１０１が収容されるレーザ保持部材４０１を示す図、図２（ｂ）は、ＤＶＤ・ＣＤ用の半導体レーザ２０１が収容されるレーザ保持部材４０２を示す図である。
【００３４】
図２（ａ）を参照して、ＢＤ用のレーザ保持部材４０１は、直方体の２つの角部分が切り欠かれた形状を有している。レーザ保持部材４０１は、熱伝導性の高い材料からなっている。レーザ保持部材４０１の材料として、たとえば、亜鉛合金が用いられ、この他、銅合金等が用いられ得る。
【００３５】
レーザ保持部材４０１には、Ｙ軸方向に貫通する円形の穴４０１ａが形成されている。穴４０１ａの径は、半導体レーザ１０１のＣＡＮ１０１ａの径よりも僅かに大きい。半導体レーザ１０１は、ＣＡＮ１０１ａが穴４０１ａに嵌め込まれるようにして、レーザ保持部材４０１に装着される。このとき、半導体レーザ１０１とレーザ保持部材４０１との間
に放熱樹脂が介在される。
【００３６】
図２（ｂ）を参照して、ＤＶＤ・ＣＤ用のレーザ保持部材４０２は、立方体形状を有している。レーザ保持部材４０２は、レーザ保持部材４０１と同様、熱伝導性の高い材料からなっている。レーザ保持部材４０２の材料として、たとえば、亜鉛合金が用いられ、この他、銅合金等が用いられ得る。
【００３７】
レーザ保持部材４０２には、Ｙ軸方向に貫通する円形の穴４０２ａが形成されている。穴４０２ａの径は、半導体レーザ２０１のＣＡＮ２０１ａの径よりも僅かに大きい。半導体レーザ２０１は、ＣＡＮ２０１ａが穴４０２ａに嵌め込まれるようにして、レーザ保持部材４０２に装着される。このとき、半導体レーザ２０１とレーザ保持部材４０２との間に放熱樹脂が介在される。
【００３８】
レーザ保持部材４０１、４０２は、上記のように熱伝導率の高い材料から形成されているため、半導体レーザ１０１、２０１からレーザが出射されるときに生じる熱は、ＣＡＮ１０１ａ、２０１ａからレーザ保持部材４０１、４０２に伝導する。レーザ保持部材４０１は、前段部４０１ｂと後段部４０１ｃとを有し、レーザ保持部材４０２よりも表面積が大きくなっている。このようにレーザ保持部材４０１の表面積を大きくすることにより、発熱量の大きいＢＤ用の半導体レーザ１０１の放熱効率が高められている。
【００３９】
図１に示す光学系と、レンズアクチュエータ１００および対物レンズアクチュエータは、ハウジングに装着される。このうち、ＢＤ対物レンズ１０７、ＤＶＤ・ＣＤ対物レンズ２０７および１／４波長板１０６、２０６を除く光学系とレンズアクチュエータ１００は、ハウジングの裏面に形成された凹部に収容される。凹部は、カバーによって覆われる。また、ホルダ３０１と、ＢＤ対物レンズ１０７、ＤＶＤ・ＣＤ対物レンズ２０７、１／４波長板１０６、２０６および対物レンズアクチュエータは、ハウジングの上面に装着される。
【００４０】
図３は、光ピックアップ装置を裏面側から見た図である。
【００４１】
同図において、１０はハウジング、２０はカバーである。同図には、レーザ保持部材４０１、４０２と、レンズアクチュエータ１００を構成する部材とが透視された状態で示されている。
【００４２】
ハウジング１０は、樹脂からなっている。カバー２０は、熱伝導性の高い材料からなっており、本実施の形態では、アルミニウムからなっている。カバー２０は、ハウジング１０の裏面に装着される。カバー２０がハウジング１０の裏面に装着されると、レーザ保持部材４０１、４０２の天面がカバー２０に当接する。レーザ保持部材４０１、４０２の天面に放熱樹脂が塗られた後、カバー２０がハウジング１０の裏面に装着される。このため、レーザ保持部材４０１、４０２の天面とカバー２０との間には、放熱樹脂が介在する。放熱樹脂は、樹脂材料に、熱伝導性の高い微粒子（フィラー）を含有させたものであり、既存のものが用いられ得る。
【００４３】
なお、本実施の形態では、レーザ保持部材４０１と案内シャフト１１３ａの左端との間にも放熱樹脂が配され、また、レーザ保持部材４０２と案内シャフト１１３ａの右端との間にも放熱樹脂が配されている。このため、ＢＤ用の半導体レーザ１０１にて発生した熱は、レーザ保持部材４０１に伝導し、その後、放熱樹脂を介して、案内シャフト１１３ａの左端に伝導し、案内シャフト１１３ａを右端方向に伝導する。また、ＣＤ/ＤＶＤ用半
導体レーザ２０１にて発生した熱は、レーザ保持部材４０２に伝導し、その後、放熱樹脂を介して、案内シャフト１１３ａの右端に伝導し、案内シャフト１１３ａを左端方向に伝
導する。
【００４４】
図４は、実施の形態に係る光ピックアップ装置に放熱樹脂を配した箇所を模式的に示す図である。
【００４５】
図４（ａ）は、図３において、案内シャフト１１３ａの左端付近を矢印Ａの方向に見た図であり、図４（ｂ）は、この部分の平面図である。図４（ｃ）は、図３において、案内シャフト１１３ａの右端付近を矢印Ｂの方向に見た図であり、図４（ｄ）は、この部分の平面図である。図４（ａ）、（ｃ）では、便宜上、案内シャフト１１３ａが断面で示されている。
【００４６】
図４（ａ）、（ｂ）を参照して、シャフト保持部材１１２ａは、可撓性を有する材料からなっており、一対の鈎部Ｍ１と、台座Ｎ１とを有している。案内シャフト１１３ａの左端は、一対の鈎部Ｍ１の間に嵌め込まれ、鈎部Ｍ１に支持される。この際、案内シャフト１１３ａの左端が、一対の鈎部Ｍ１上部の傾斜部分に押し付けられる。これにより、一対の鈎部Ｍ１が互いに離れるように撓み、案内シャフト１１３ａの左端は、一対の鈎部Ｍ１の間に嵌め込まれる。
【００４７】
図４（ｂ）のように、台座Ｎ１は、レーザ保持部材４０１の外形に沿う形状を有している。レーザ保持部材４０１をハウジング１０（図３参照）に装着すると、図４（ｂ）のように、僅かな隙間でもって、レーザ保持部材４０１が台座Ｎ１に隣接する。
【００４８】
この状態において、放熱樹脂５０１が、レーザ保持部材４０１の側面と案内シャフト１１３ａの天面とを繋ぐようにして、シャフト保持部材１１２ａとレーザ保持部材４０１の境界付近に塗り付けられる。これにより、放熱樹脂５０１は、レーザ保持部材４０１の側面に面接触し、且つ、案内シャフト１１３ａの天面に面接触する。こうして、レーザ保持部材４０１と案内シャフト１１３ａとの間に、放熱樹脂５０１を媒介とする熱の伝導経路が構成される。
【００４９】
なお、放熱樹脂５０１は、台座Ｎ１に盛られるようにして、シャフト保持部材１１２ａとレーザ保持部材４０１の境界付近に塗り付けられる。このため、シャフト保持部材１１２から放熱部材５０１が液だれすることがなく、放熱部材５０１を円滑にシャフト保持部材１１２ａとレーザ保持部材４０１の境界付近に塗り付けることができる。
【００５０】
次に、図４（ｃ）、（ｄ）を参照して、シャフト保持部材１１２ｂは、可撓性を有する材料からなっており、一対の鈎部Ｍ２と、台座Ｎ２とを有している。案内シャフト１１３ａの右端は、一対の鈎部Ｍ２の間に嵌め込まれ、鈎部Ｍ２に支持される。図４（ｄ）のように、台座Ｎ２は、レーザ保持部材４０２の側面に沿う形状を有している。レーザ保持部材４０２をハウジング１０（図３参照）に装着すると、図４（ｄ）のように、僅かな隙間でもって、レーザ保持部材４０２が台座Ｎ２に隣接する。
【００５１】
この状態において、放熱樹脂５０２が、レーザ保持部材４０２の側面と案内シャフト１１３ａの天面とを繋ぐようにして、シャフト保持部材１１２ｂとレーザ保持部材４０２の境界付近に塗り付けられる。これにより、放熱樹脂５０２は、レーザ保持部材４０２の側面に面接触し、且つ、案内シャフト１１３ａの天面に面接触する。こうして、レーザ保持部材４０２と案内シャフト１１３ｂとの間に、放熱樹脂５０２を媒介とする熱の伝導経路が構成される。
【００５２】
なお、放熱樹脂５０２は、台座Ｎ２に盛られるようにして、シャフト保持部材１１２ａとレーザ保持部材４０１の境界付近に塗り付けられる。このため、シャフト保持部材１１
２ｂから放熱部材５０２が液だれすることがなく、放熱部材５０２を円滑にシャフト保持部材１１２ｂとレーザ保持部材４０２の境界付近に塗り付けることができる。
【００５３】
以上のようにして配された放熱部材５０１、５０２は、光ピックアップ装置に対するアニール処理の際に、熱により硬化される。これにより、放熱樹脂５０１、５０２を媒介とする熱の伝導経路が固定される。
【００５４】
図５は、実施の形態に係る光ピックアップ装置の熱伝導経路を示す図である。なお、図５には、ＢＤ用の半導体レーザ１０１が駆動されたときの熱の伝導経路が矢印で示されている。
【００５５】
図示の如く、ＢＤ用の半導体レーザ１０１を収容するレーザ保持部材４０１には、上記のように、その側面に放熱樹脂５０１が配され、さらに、天面にも放熱樹脂６０１が配されている。放熱樹脂６０１は、レーザ保持部材４０１の天面全体に配置されている。したがって、レーザ保持部材４０１の天面は、全面において、カバー２０と熱的に結合されている。
【００５６】
また、ＤＶＤ・ＣＤ用の半導体レーザ２０１を収容するレーザ保持部材４０２には、上記のように、その側面に放熱樹脂５０２が配され、さらに、天面にも放熱樹脂６０２が配されている。放熱樹脂６０２は、レーザ保持部材４０２の天面全体に配置されている。したがって、レーザ保持部材４０２の天面は、全面において、カバー２０と熱的に結合されている。
【００５７】
ＢＤ用の半導体レーザ１０１が駆動されると、半導体レーザ１０１で発生した熱は以下の経路を伝導する。
【００５８】
まず、半導体レーザ１０１のＣＡＮ１０１ａで発生した熱は、レーザ保持部材４０１の天面から放熱樹脂６０１を介して、カバー２０へと伝導する。この熱は、カバー２０を広がり、カバー２０の上面から放熱される。
【００５９】
また、半導体レーザ１０１で発生した熱は、レーザ保持部材４０１の側面から放熱樹脂５０１を介して案内シャフト１１３ａの左端へと伝導する。この熱は、案内シャフト１１３ａの内部を案内シャフト１１３ａの右端に向かって伝導し、さらに、右端から放熱樹脂５０２を介してＢＤ用のレーザ保持部材４０２へと伝導する。その後、この熱は、レーザ保持部材４０１の天面から放熱樹脂６０１を介して、カバー２０へと伝導し、カバー２０を広がって、カバー２０の上面から放熱される。なお、レーザ保持部材４０１の側面から放熱樹脂５０１を介して案内シャフト１１３ａの左端へと伝導した熱は、案内シャフト１１３ａを伝導する際に、案内シャフト１１３ａの表面からも放熱される。
【００６０】
以上のように、本実施の形態においては、熱伝導率の高い放熱樹脂５０１、５０２を用いることで、案内シャフト１１３ａを介してＢＤ用のレーザ保持部材４０１とＤＶＤ・ＣＤ用のレーザ保持部材４０２との間で熱を伝導させることができる。これにより、放熱のための面積を広げることができ、また、装置全体の熱容量を大きくすることができる。よって、放熱樹脂５０１、５０２を配さない場合と比較して、より熱を分散させることができ、装置全体として熱の放熱効果を高めることができる。その結果、熱に伴うＢＤ光の波長の変動を抑制でき、レーザ保持部材４０１周辺の光学部品の劣化を抑制できる。
【００６１】
なお、図５には、ＢＤ用の半導体レーザ１０１が駆動されたときの熱の伝導経路を矢印で示したが、ＤＶＤ・ＣＤ用の半導体レーザ２０１が駆動されたときには、半導体レーザ２０１で発生した熱が、上記と逆向きに、レーザ保持部材４０２からレーザ保持部材４０
１へと伝導する。これにより、半導体レーザ２０１に対する放熱効果が高められる。
【００６２】
以上のように、本実施の形態によれば、ＢＤ用の半導体レーザ１０１とＤＶＤ・ＣＤ用の半導体レーザ２０１に対する放熱効果を高めることができる。これにより、ＢＤ光、ＤＶＤ光およびＣＤ光の波長変動を抑制でき、レーザ保持部材４０１、４０２周辺の光学部品の劣化を抑制することができる。
【００６３】
また、本実施の形態によれば、既存の案内シャフト１１３ａが熱の伝導経路として利用されるため、熱の伝導経路を増やすために、別途、他の部材を配置する必要がなく、放熱樹脂５０１、５０２を配置するのみで良い。このため、構造の複雑化および部品点数の増加を回避しながら、ＢＤ用の半導体レーザ１０１とＤＶＤ・ＣＤ用の半導体レーザ２０１に対する放熱効果を高めることができる。
【００６４】
以上、本発明の実施の形態について説明したが、本発明は上記実施の形態に何ら制限されるものではなく、また、本発明の実施の形態も上記以外に種々の変更が可能である。
【００６５】
たとえば、上記実施の形態では、コリメータレンズ１０４を保持するレンズ保持部材１１１の素材として、コストの観点から樹脂を用いたが、樹脂のレンズ保持部材１１１と金属製の案内シャフト１１３ａとの間の熱膨張の差で、レンズアクチュエータ１００の駆動に障害が生じることもある。かかる不都合を回避するために、レンズ保持部材１１１の素材を樹脂から金属に変更し、両者の熱膨張率（熱膨張係数）を揃えるようにしても良い。これにより、両者間の熱膨張の差を小さくすることができ、レンズアクチュエータ１００の駆動を安定させることができる。
【００６６】
なお、上記実施の形態においては、案内シャフト１１３ａの径をなるべく大きくするのが望ましい。これにより、案内シャフト１１３ａの容量分だけ熱の伝導経路が広くなり、装置全体の熱容量を大きくすることができる。
【００６７】
また、上記実施の形態では、案内シャフト１１３ａを熱の伝導経路に利用したが、案内シャフト１１３ａの配置位置によっては、案内シャフト１１３ａを熱の伝導経路に利用できない場合もあり、また、案内シャフト１１３ａ自体が配置されないような場合もある。このような場合は、別途、案内シャフト１１３ａに相当する熱伝導部材をレーザ保持部材４０１、４０２の間に配置すれば良い。
【００６８】
さらに、上記実施の形態では、ＢＤ、ＤＶＤおよびＣＤに対応可能な光ピックアップ装置が例示されたが、ＢＤ、ＤＶＤおよびＣＤのうち何れか２つのディスクに対応可能な光ピックアップ装置に本発明を適用することも可能である。この場合、２つの半導体レーザ（レーザ保持部材）が光ピックアップ装置に配置され、これら２つの半導体レーザ（レーザ保持部材）間に熱の伝導経路が配置される。
【００６９】
また、上記実施の形態では、ＤＶＤ光とＣＤ光をそれぞれ出射するレーザ素子が一つのＣＡＮ内に配置されたが、ＤＶＤ光とＣＤ光をそれぞれ出射する２つの半導体レーザが配置されても良い。この場合、光ピックアップ装置には、３つの半導体レーザ（レーザ保持部材）が配置されることになる。この場合も、これら３つの半導体レーザ（レーザ保持部材）を互いに熱的に結合するための伝導経路を配置すれば良く、あるいは、熱量の最も大きな１つの半導体レーザ（レーザ保持部材）と、他の一つの半導体レーザ（レーザ保持部材）とを熱的に結合するための伝導経路を配置しても良い。
【００７０】
また、上記実施の形態では、レーザ保持部材４０１、４０２の天面とカバー２０との間に放熱樹脂６０１、６０２が配されたが、放熱樹脂６０１、６０２を省略し、レーザ保持
部材４０１、４０２の天面をカバー２０に直接接触させても良い。
【００７１】
また、上記実施の形態では、放熱樹脂５０１、５０２によって、案内シャフト１１３ａの両端がレーザ保持部材４０１、４０２に熱的に結合されたが、たとえば、案内シャフト１１３ａの両端が挿入される孔または溝をレーザ保持部材４０１、４０２に配置し、この孔または溝に案内シャフト１１３ａの両端を挿入することで、案内シャフト１１３ａの両端とレーザ保持部材４０１、４０２とを熱的に結合させても良い。この場合、レーザ保持部材４０１、４０２が案内シャフト１１３ａの長手方向に並ぶように、光学系の配置を調整する必要がある。
【００７２】
また、上記実施の形態では、ＢＤ光を平行光に変換するためにコリメータレンズが用いられたが、コリメータレンズに代えて、凹レンズと凸レンズの組合せからなるエキスパンダが用いられても良く、回折レンズ等、他のレンズが用いられても良い。エキスパンダが用いられる場合、凹レンズまたは凸レンズの何れか一方がレンズ保持部材１１１に保持される。
【００７３】
この他、光学系も上記実施の形態の限定されるものではなく、他に種々の変更が可能である。
【００７４】
本発明の実施の形態は、特許請求の範囲に示された技術的思想の範囲内において、適宜、種々の変更が可能である。
【符号の説明】
【００７５】
１０  …  ハウジング
２０  …  カバー
１０１、２０１  …  半導体レーザ（第１のレーザ光源、第２のレーザ光源）
１０４  …  コリメータレンズ（レンズ）
１１１  …  レンズ保持部材
１１３ａ  …  案内シャフト（熱伝導部）
２０１ａ  …  ＣＡＮ
４０１、４０２  …  レーザ保持部材
５０１、５０２、６０１、６０２  …  放熱樹脂（熱伝導部）
【図１】
2013030239.tif 000003
【図２】
2013030239.tif 000004
【図３】
2013030239.tif 000005
【図４】
2013030239.tif 000006
【図５】
2013030239.tif 000007